(57)【要約】柄部の先に前後に揺動自在に支持され容器と、該容器上に該容器と対向方向に揺動する蓋を備え、蓋が容器の開口部に被さる時に容器が柄部と略直角に上向きになり、糞の排出時に容器と蓋が柄部の一方側に傾いて開くようにした犬糞等の捕捉運び器具において、容器の外周りに支持部材や操作部材が少なく容器外周のブラッシング清掃が行い易い器具を提供するもので、  柄がその柄部の先に蓋の揺動軸線と平行な揺動軸線を有する一箇所の柄の支持手段を備え、容器がその開口部近くの前記蓋の揺動軸線と同一軸線上を含む後側の外壁の一側部に設けた容器被支持部を前記柄の支持手段に前後に揺動可能に支持されており、操作手段が前記柄部側で前記容器側の一部と前記蓋側の一部とに前連結された操作部材を備え、前記容器が前記柄の支持手段の揺動軸線上で揺動し前記蓋が蓋の揺動軸線上で前記容器と対向方向に揺動するようにしたものである。【特許請求の範囲】
【請求項１】
柄部の先に前後に揺動自在に支持され窪んだ内壁部と平坦な開口部を有する容器と、該容器上に該容器の内外の一方の側で容器の開口部を接近して被う周縁手段と内側の被い部を有し容器の開口部近くの中央部を横方向に通る蓋の揺動軸線上でその周縁部近くを容器と対向方向に揺動可能に支持された蓋を備え、柄部側に設けた操作手段により蓋が容器の開口部に被さる時に容器が柄部と略直角に上向きになり、糞の排出時に容器と蓋が柄部の一方側に傾いて開き、その開閉の間の位置で糞の捕捉の向きに開くようにした犬糞等の捕捉運び器具において、柄がその柄部の先に蓋の揺動軸線と平行な揺動軸線を有する一箇所の柄の支持手段を備え、容器がその開口部近くの前記蓋の揺動軸線と同一軸線上を含む後側の外壁の一側部に設けた容器被支持部を前記柄の支持手段に前後に揺動可能に支持されており、操作手段が前記柄部上で軸方向に移動自在に保持され操作部とその下部に前記容器側の一部と前後方向に回転自在に連結された容器連結手段と前記蓋側の一部と前後方向に回転自在に連結された蓋連結手段とを備える操作部材を備え、前記容器が前記柄の支持手段の揺動軸線上で揺動し前記蓋が蓋の揺動軸線上で前記容器と対向方向に揺動することを特徴とする犬糞等の捕捉運び器具。
【請求項２】
容器被支持部が蓋の揺動軸線上の容器の開口部近くの一方側に該開口部と平行に外方に伸びる容器基軸部を備え、蓋がその周縁部の前記蓋の揺動軸線上の前記容器基軸部と同じ側に周縁手段と平行な蓋基軸部を備え、前記蓋が前記容器の内外の一方の側でその前記蓋基軸部を前記容器基軸部と同一軸心にして前記蓋の揺動軸線上で柄の支持手段に共に揺動可能に支持されており、操作手段の操作部材が柄部の側で前記容器基軸部の一部と前後方向に回転自在に連結された容器連結手段と前記蓋基軸部の一部に前後方向に回転自在に連結された蓋連結手段を備え、前記容器と前記蓋が前記蓋の揺動軸線上で互いに対向方向に揺動することを特徴とする請求項１記載の犬糞等の捕捉運び器具。
【請求項３】
容器がその開口部近くの後側の外壁の一側部に設けた容器被支持部を柄の支持手段に前後方向に揺動可能に支持しており、操作手段の操作部材がその下部に各々その上端部を連結されその下端部を前記容器の後部側の一部に前後に回転自在に連結された後リンクとその下端部を蓋の揺動軸線の前側の蓋の一部に前後に回転自在に連結された前リンクとを備え、前記容器が前記柄の支持手段の揺動軸線上で揺動し前記蓋が前記蓋の揺動軸線上で前記容器と対向方向に揺動することを特徴とする請求項１記載の犬糞等の捕捉運び器具。
【請求項４】
操作部材の連結手段が揺動軸線の前側と後側の一方の側で前記操作部材の一部にその一端部を連結され他端部を容器基軸部に形成された容器レバーに連結された容器リンクとからなる容器側連結手段と、前記揺動軸線の他方の側で前記操作部材の他の一部にその一端部を連結され他端部を蓋基軸部に形成された蓋レバーに連結された蓋リンクとからなる蓋側連結手段からなることを特徴とする請求項２記載の犬糞等の捕捉運び器具。
【請求項５】
操作部材の連結手段が揺動軸線の前側と後側の一方の側で前記操作部材の一方側の部分に柄部に平行に形成した容器ラックと容器基軸部に形成され前記容器ラックと噛み合う容器歯車とからなる容器側連結手段と、前記揺動軸線の他方の側で前記操作部材の他方側の部分に前記柄部に平行に形成した蓋ラックと蓋基軸部に形成され前記蓋ラックと噛み合う蓋歯車とからなる蓋側連結手段からなることを特徴とする請求項２記載の犬糞等の捕捉運び器具。
【請求項６】
操作手段の操作部材が柄部上の一方の側に設けた容器操作部と前記容器操作部と容器側の一部とを連結する容器側連結手段からなる容器側操作部材と、柄部上の他の側に設けた蓋操作部と前記蓋操作部と蓋側の一部とを連結する蓋側連結手段からなる蓋側操作部材を備え、容器と蓋が各々単独に操作されることを特徴とする請求項１又は２記載の犬糞等の捕捉運び器具。
【請求項７】
操作手段が操作ロッド手段を含む柄部側の一部に蓋の閉止位置の前付近で前リンクを蓋の閉止方向に押す前リンク押え手段を備えることを特徴とする請求項３記載の犬糞等の捕捉運び器具。
【請求項８】
操作手段が操作ロッド手段を含む柄部側の一部に容器と蓋の全開時に前リンクの後壁面を一定の弾力で前方に押す前リンク前押し手段を備えることを特徴とする請求項３記載の犬糞等の捕捉運び器具。
【請求項９】
蓋の周縁手段が蓋の周縁部の周りに設けたリング溝と該リング溝に嵌る割りリングと蓋の前側と後側の前記リング溝の溝底と前記割りリングの内壁面間にその両端を前後の壁の保持孔に保持された前弾性拡張部材と後弾性拡張部材を備えることを特徴とする請求項１又は２又は３記載の犬糞等の捕捉運び器具。
【請求項１０】
後弾性拡張部材の拡張力を前弾性拡張部材の拡張力より強めにしたことを特徴とする請求項９記載の犬糞等の捕捉運び器具。
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
２００５年６月３０日に公開されたＰＣＴ／ＪＰ２００４／０１８６８７号に開示されるものは、柄の先に揺動する受容器を備え蓋が被さる時に受容器が柄部と略直角に上向きになり、糞の排出の時に柄部と略平行に前向きに大きく開き、その開閉の間の位置で受容器が糞の捕捉に適した傾きで開くものであり、大別して２種類のものが示されている。一つは蓋と受容器が受容器の開口部の両横に設けた支持点の周りで互いに対向方向に揺動回転して受容器の開口部を開閉するものであり、もう一つは蓋と受容器が受容器の開口部の一方側に設けた各々の支持点上で互いに対向方向に扇形（セクタ）に揺動してその開口部を開閉するものである。
犬の糞の捕捉運び器具等は、何時も清潔に保つために掃除がし易いことが特に大事で、容器と蓋の周りに支持部材や操作部材などがなく周囲が完全に露出されていることが望ましい。受容器と蓋の周りに支持部材などが存在すると、清掃の際や、糞の捕捉の際などに邪魔になることがあり、又、そこに雑草などが絡んで引っ掛かって残ることがある。
前述のＰＣＴ／ＪＰ２００４／０１８６８７号で示される実施例の一つは、受容器と蓋の揺動支点を支持する横の腕部と前後方向に交差する操作リンクを要するので、受容器の周りのブラッシング清掃が行いにくい。もう一つのものは、蓋による受容器内の糞の掻き出しが行えないので容器内に糞が付着して残るなどの欠点がある。
本発明の目的は、容器の外周りに支持部材、操作部材が少なく、水洗いの際に容器外周りのブラッシング清掃が行い易い犬糞等の捕捉運び器具を提供するにある。
本発明の他の目的は、糞の捕捉や排出の際に容器と蓋をより適切な向きに、且つ、一層大きく開くことが出来、糞の捕捉の際に、犬の後ろ側の横の位置からも支持部材などに邪魔されずに犬の糞口の下に容器を近づけやすい犬糞等の捕捉運び器具を提供するにある。
本発明の他の目的は、容器と蓋の支持点が分離していて密実であり、構造簡単で製造しやすく、しかも蓋による容器内の糞の掻き出しが行える犬糞等の捕捉運び器具を提供するにある。
本発明の他の目的は、容器と蓋とが一つの操作部で連動して対向方向に揺動して閉止、捕捉そして排出ができると共に、容器と蓋とを各々単独に操作して閉止、捕捉そして排出ができる扱いやすい犬糞等の捕捉運び器具を提供するにある。
本発明の他の目的は、糞の排出の際の掻き出し効果に優れ、且つ軽快な開閉操作の出来る犬糞等の捕捉運び器具を提供するにある。
【発明の開示】
【０００３】
本発明の犬糞等の捕捉運び器具は、柄部の先に前後に揺動自在に支持され窪んだ内壁部と平坦な開口部を有する容器と、該容器上に該容器の内外の一方の側で容器の開口部を接近して被う周縁手段と内側の被い部を有し容器の開口部近くの中央部を横方向に通る蓋の揺動軸線上でその周縁部近くを容器と対向方向に揺動可能に支持された蓋を備え、柄部側に設けた操作手段により蓋が容器の開口部に被さる時に容器が柄部と略直角に上向きになり、糞の排出時に容器と蓋が柄部の一方側に傾いて開き、その開閉の間の位置で糞の捕捉の向きに開くようにした犬糞等の捕捉運び器具において、
柄がその柄部の先に蓋の揺動軸線と平行な揺動軸線を有する一箇所の柄の支持手段を備え、容器がその開口部近くの前記蓋の揺動軸線と同一軸線上を含む後側の外壁の一側部に設けた容器被支持部を前記柄の支持手段に前後に揺動可能に支持されており、操作手段が前記柄部上で軸方向に移動自在に保持され操作部とその下部に前記容器側の一部と前後方向に回転自在に連結された容器連結手段と前記蓋側の一部と前後方向に回転自在に連結された蓋連結手段とを備える操作部材を備え、前記容器が前記柄の支持手段の揺動軸線上で揺動し前記蓋が蓋の揺動軸線上で前記容器と対向方向に揺動することを特徴とするものである。
又、上記犬糞等の捕捉運び器具は、容器被支持部が蓋の揺動軸線上の容器の開口部近くの一方側に該開口部と平行に外方に伸びる容器基軸部を備え、蓋がその周縁部の前記蓋の揺動軸線上の前記容器基軸部と同じ側に周縁手段と平行な蓋基軸部を備え、前記蓋が前記容器の内外の一方の側でその前記蓋基軸部を前記容器基軸部と同一軸心にして前記蓋の揺動軸線上で柄の支持手段に共に揺動可能に支持されており、操作手段の操作部材が柄部の側で前記容器基軸部の一部と前後方向に回転自在に連結された容器連結手段と前記蓋基軸部の一部に前後方向に回転自在に連結された蓋連結手段を備え、前記容器と前記蓋が前記蓋の揺動軸線上で互いに対向方向に揺動するようにすることが出来る。
上記操作部材の連結手段は、揺動軸線の前側と後側の一方の側で前記操作部材の一部にその一端部を連結され他端部を容器基軸部に形成された容器レバーに連結された容器リンクとからなる容器側連結手段と、前記揺動軸線の他方の側で前記操作部材の他の一部にその一端部を連結され他端部を蓋基軸部に形成された蓋レバーに連結された蓋リンクとからなる蓋側連結手段とすることが出来る。
又、上記操作部材の連結手段は、揺動軸線の前側と後側の一方の側で前記操作部材の一方側の部分に柄部に平行に形成した容器ラックと容器基軸部に形成され前記容器ラックと噛み合う容器歯車とからなる容器側連結手段と、前記揺動軸線の他方の側で前記操作部材の他方側の部分に前記柄部に平行に形成した蓋ラックと蓋基軸部に形成され前記蓋ラックと噛み合う蓋歯車とからなる蓋側連結手段とすることも出来る。
さらに、上記犬糞等の捕捉運び器具は、容器がその開口部近くの後側の外壁の一側部に設けた容器被支持部を柄の支持手段に前後方向に揺動可能に支持しており、操作手段の操作部材がその下部に各々その上端部を連結されその下端部を前記容器の後部側の一部に前後に回転自在に連結された後リンクとその下端部を蓋の揺動軸線の前側の蓋の一部に前後に回転自在に連結された前リンクとを備え、前記容器が前記柄の支持手段の揺動軸線上で揺動し前記蓋が前記蓋の揺動軸線上で前記容器と対向方向に揺動するようにすることも出来る。
そこで、操作部を操作することにより蓋が被さる時に受容器が柄と略直角に上向きとなりその開口部の上を蓋の周縁手段が塞ぎ、糞の排出時に受容器と蓋が柄の一方側に傾いて開き、その間の位置で受容器と蓋が糞の捕捉の向きに傾けて開くことが出来る。
容器の周りが広く開かれて邪魔になるものが殆どなく、且つ、捕捉の際にも容器が十分大きく開くことが出来る犬糞等の捕捉運び器具が得られる。
ここで、操作部材とは、操作部と下部に設けられる連結手段であるリンクやラックを含むものである。又、操作部と容器や蓋の一部とを直接に繋ぐロッドやワイヤー等をも含むものである。
又、操作部とは、操作部材上部に設けられる直に掴める握り部やハンドル、あるいは指掛けのようなレバー形のもの等を含め、以下に示す操作レバーとレバー孔、あるいは、歯車付操作レバーと操作ラックのように操作レバー手段とその操作部材側との連結手段を包括的に含むものである。
本発明は、容器と蓋の操作が柄の一つの操作部の操作で連動して同時に行われることが優れた特徴の一つであるが、容器と蓋の操作を各々独立の操作手段で独立の操作部で行うことも出来る。
容器の開口部の内側を塞ぐ蓋の周縁手段は、蓋の周縁部の周りに設けたリング溝と該リング溝に嵌る割りリングと蓋の前側と後側のリング溝の溝底と割りリングの内壁面間に各々装着された弾性拡張部材を備えるものが優れている。そこで、糞の排出の際に蓋がその閉止位置から開き位置に移動する時に、その割りリングの後側は容器の内壁部に強く押し当てられて動き、容器内の糞を付着するものも一緒に前方へ押出す。そして蓋は容器の内側に重なって前方に開く。
以下、その他の発明は以下に示す実施の最良の形態の中で明らかにされる。
【図面の簡単な説明】
【０００４】
第１図は実施例を示す捕捉運び器具の側面図で蓋を閉止した状態を示す図、第２図は第１図の実施例の蓋を全開した状態を示す側面図、第３図は第１図における３−３矢視図で一部を破断面にして示す図、第４図は他の実施例を示す捕捉運び器具の側面図で蓋を閉止した状態を示す図、第５図は第４図における５−５断面図、第６図は他の実施例を示す容器周りの断面図、第７図は他の実施例を示す捕捉運び器具の側面図、第８図は他の実施例を示す捕捉運び器具の側面図で、蓋が開かれ柄部を４５°後ろに傾けて糞を捕捉している状態を示す図、第９図は他の実施例を示す捕捉運び器具の側面図で蓋を閉止した状態を示す図、第１０図は第９図における１０−１０矢視図、第１１図は第９図の実施例における蓋を全開にした状態を示す側面図、第１２図は他の実施例を示す捕捉運び器具の側面図で容器側のみを全開にした状態を示す図、第１３図は他の実施例を示す捕捉運び器具の容器周りの側面図で蓋を閉止した状態を示す図、第１４図は第１３図の実施例の蓋を全開にした状態を示す容器周りの側面図、第１５図は第１３図における蓋のリング溝部分の水平断面図である。
【発明を実施するための最良の形態】
【０００５】
以下に発明の実施の形態を実施例に基づき図面を参照して説明する。
第１〜３図は容器の揺動軸線と蓋の揺動軸線が同一軸線上にある実施例である。柄１の上端にある前後方向にＴ字形をなす把持部５から先方へ長く伸びる柄部２の先に、把持部５に対して左右方向の向きで柄部２と交差する中心軸線を有する円筒形の孔から成る柄の支持部４が設けられる。この中心軸線はここでは容器と蓋の揺動軸線をなすもので、柄の揺動軸線３と呼ぶこととする。容器８は平坦に開く開口部６と窪んだ内壁部７を有しており、その開口部６の片側に容器被支持部となる容器基軸部９を備えている。該容器基軸部９は開口部６と平行に容器の中心部を通る軸心を有し、柄の支持部４に回転自在に嵌まる直径の軸部であって、容器８は該容器基軸部９により柄部２の一方の側部に柄の揺動軸線３の周りで揺動自在に支持されている。
容器８の内側には蓋１１が取付けられている。該蓋１１は開口部６を密接に接触して被う平坦な周縁手段１２と内側の被い部１０を有しその周縁部分の片側に蓋基軸部１３を備えている。該蓋基軸部１３は周縁手段１２が柄の揺動軸線３と平行に支持されるように蓋の中心部を通る軸心を有し、容器基軸部９の内部に同心に穿たれた蓋基軸孔１４に回転自在に嵌まっている。そこで、蓋１１は容器８内で揺動することが出来、容器８と蓋１１は共に柄の揺動軸線３上で揺動する。周縁手段１２は、ここでは、蓋の周縁部分に設けられたリング溝に嵌まるゴム製のパイプ状のシールリングになっている。
容器と蓋の基軸部の反対側に両者の軸心を保持する軸心支持手段を設けることが出来る。第３図において、容器の開口部６の容器基軸部９と反対側の内壁部７の柄の揺動軸線３の通る位置に円筒状の窪み３１が設けてある。一方、蓋１１の周縁部の対応する位置の外壁部に前記窪み３１に回転自在に嵌まる突起３２が設けてある。この突起３２により蓋１１の周縁部の端部が柄の揺動軸線３上で容器の端部の窪み３１に支持されて、受容器内で一層安定して揺動することが出来る。
容器８と蓋１１は、ここでは、共に柄の揺動軸線３を中心軸線とする円の回転形である球形を略半分にした形の略半球形になっている。
従って、開口部６と周縁手段１２周囲は円形である。ここに示すような半球形やこれに近い形の器や蓋は掃除がしやすい形である。受納容量に比較した小型化や意匠の点でも全体の形が球形に近い形が望ましい。
容器と蓋を動かす操作手段は柄部２の反対側に設けられる。柄部２を間にして、受容器基軸部９の容器側と反対側の位置に、柄の揺動軸線３の前側で半径方向に伸びてその端部にリンクピン１５を備える容器レバー１６が設けてある。一方、柄部２上には、軸方向に滑動自在に嵌る操作ロッド１７があって、該操作ロッド１７の下端部には前後に並列に２つのリンクピン１８と１９が設けてある。そして、前側のリンクピン１８と容器レバー１６のリンクピン１５とが容器リンク２０を介して連結されている。
同じように、蓋基軸部１３の蓋側と反対側の位置には、柄の揺動軸線３の後側で前記容器レバー１６と対称形に半径方向に伸びて、その端部にリンクピン２１を備える蓋レバー２２が設けてある。そして、後側のリンクピン１９と蓋レバー２２のリンクピン２１とが蓋リンク２３を介して連結されている。
ここで、容器レバー１６と蓋レバー２２の長さは必ずしも同じである必要はない。異なる長さにすることによって、受容器と蓋とに所望の異なる揺動角度を与えることも出来る。又、容器レバー１６と蓋レバー２２とが柄の揺動軸線３を通る柄部２の軸線に対し前後対称の傾きである必要はない。非対称の傾きとすることで容器と蓋の動きに差を生じせしめることなどは、任意である。
ここでは、操作ロッド１７はその操作部を操作レバー手段を介して操作される。操作ロッド１７の上部はその前側の部分が上方に長く伸びており、この上部に伸びる部分にレバー孔２４が穿けてある。把持部５より指が届く程の位置の柄部２の後ろ側のピン受け部に横方向の支持ピン２５が固定されており、該支持ピン２５に支持されて柄部２を前後方向に貫通して前後に伸び出る操作レバー２６が設けてある。該操作レバー２６は柄部２の前側に突出する前レバー部２７と後ろ側に突出する後レバー部２８からなり支持ピン２５を支点にして上下にシーソーように揺動することが出来る。そして該操作レバー２６の前レバー部２７部分がレバー孔２４を貫通している。
そこで、第１〜２図に示すように前レバー部２７を一杯に引き上げた時に、操作ロッド１７が一杯に引き上げられ、容器リンク２０と蓋リンク２３は容器レバー１６と蓋レバー２２を回して容器と蓋とを閉止状態にする。この時容器８はその開口部６が柄部２に対して略直角になるように上向きとなっており、その上から蓋１１が下向きになり、その周縁手段１２が開口部６を塞いでいる。容器内の糞は外部に漏れることなく、その臭気もシールリングの働きでもれることがない。通常は、この縦にした状態で持ち歩く。
容器８の周りに穿けられた排水孔２９は蓋が被さった際に雨水や砂等を周縁手段１２の周りから逃がす孔で、水などが容器内に浸入することを防ぐものである。
操作ロッド１７はその操作部の操作による動きを容器リンクと蓋リンク等の連結手段を介して容器レバーと蓋レバーに伝達してこれらを動かす部材である。ここに示す以外のロッドのようなものでも、あるいはコードやワイヤーであっても同様の機能を与え得るもので、これらに換えて実施することも出来る。
柄部２に設けられたシーソーに動く操作レバー２６を介して操作部材の操作部を操作するようにすれば、把持部を握る前側と後側の指の一部で前側と後側のレバーを交互に引き上げる操作によって容器と蓋を開くことも閉じることも出来る。このように前と後ろでシーソーに動くレバーは都合がよい。
柄部２の支持ピン２５の下部の空間内に柄部２の前側の内壁にその一端を固定されたＵ形の板バネ３３が挿入してある。該板バネ３３の他端側には操作ロッド１７の後側の壁に向かって突出する三角形の突起３４が形成してあり、バネの反発力で後側に押されている。一方、操作ロッド１７の対応する部分の内壁には突起３４に合致した形状の３個の止め溝３５、３６，３７が縦並びに設けてある。そこで、第１図のように容器が蓋に閉止される時に止め溝３７に突起３４が嵌まる。第２図のように容器と蓋が開かれる時に止め溝３５に突起３４が嵌まる。
そして、容器と蓋が糞の捕捉の向きに開かれている時に、止め溝３６に突起３４が嵌まる。この突起３４の嵌まり込みは操作レバー２６に一定以上の移動力をかけることで外れる移動抵抗保持手段６０になっている。これによって、容器と蓋の開閉操作の所定位置での安定した保持が行われる。
第２図では後レバー部２８を一杯に引き上げられている。この時に操作ロッド１７が一杯に押し下げられて容器リンク２０と蓋リンク２３は容器レバー１６と蓋レバー２２を介して容器と蓋とを開放状態にする。容器８は柄部２の後ろ側にあって、その開口部６は柄部２と略平行に立って前側に向き、蓋１１がその内側で重なり合うようにしてその周縁手段１２が柄部２と略平行に立って前側に向かって開いている。糞の排出は通常はこの第２図のように柄を縦にした状態で行う。第１図に示す容器の開口部６が蓋の周縁手段１２に閉止された状態から第２図の状態に移動する際に、蓋の周縁手段１２は容器の内壁部７を掃くようにして移動し、容器８内の糞を内壁部７に付着するものも一緒に前方へ押出す。容器８の内壁部７が柄の揺動軸線３を中心にした回転面であることの利点の一つである。
容器と蓋の形はここに示すような円の回転形を半分にした半球形である必要はない。前述のような利点を重要視しないならば、必ずしも半回転形の窪み部の容器や半回転形の被い部の蓋である必要はない。
支持脚３０は、柄１の支持部４の先に設けられている。該支持脚３０は糞の捕捉の際の先端の支えとして使用することが出来る。又、器具を壁などに立ておく際に、容器を地面に着けない支え脚にもなる。該支持脚３０の柄部２に対する後側への傾き角度はもっと小さな角度とすることが出来る。
捕捉後は前レバー部２７を一杯に引き上げて蓋の周縁手段１２で受容器の開口部６を塞ぎ第１図に示す柄を縦にした状態で持ち歩く。
第４〜５図は本発明の他の実施例を示す。以下の実施例の説明では、前述の実施例と同じ部分については実施例毎に同一の符号にａ、ｂ、ｃの添字を付して示し、その詳しい説明を省略して主に異なる部分について説明する。
ここでは、操作ロッド１７ａと容器基軸部９ａ及び蓋基軸部１３ａとの間の連結手段を異にしており、ラックと歯車により連結されている。
柄部２ａを間にして、容器基軸部９ａの容器と反対側の位置に、揺動軸線３ａより前側に歯を有する容器歯車３８が形成されている。そして、操作ロッド１７ａの下部の縦に長いケース部３９の内側には、柄の揺動軸線３ａの前側に容器歯車３８と噛合う柄部２ａと平行方向の容器ラック４０が設けられている。
同じように蓋基軸部１３ａの蓋と反対側の位置には、柄の揺動軸線３ａより後側に歯を有する蓋歯車４１が形成されている。そして、ケース部３９の内側には、柄の揺動軸線３ａの後側に蓋歯車４１と噛合う柄部２ａと平行方向の蓋ラック４２が設けられている。
柄の支持部４ａのケース部３９側には上下に伸びるケースカバー６１が設けてあり、上下に移動するケース部３９の側部を塞ぐ働きをしている。
操作ロッド１７ａの上部は、ここではその後側の部分が上方に長く伸びており、この上部に伸びる操作部にレバー孔２４ａが穿けてある。そして、把持部５ａより指が届く程の位置の柄部２ａの前側にあるピン受け部に、横方向の支持ピン２５ａが固定されており、該支持ピン２５ａに支持されて柄部２ａを前後方向に貫通して前後に伸び出る操作レバー２６ａが設けてある。該操作レバー２６ａは、前例と同じように、柄部の前側に突出する前レバー部２７ａと後ろ側に突出する後レバー部２８ａからなり、支持ピン２５ａを支点にして上下にシーソーように揺動することが出来る。そして該操作レバー２６ａの後レバー部２８ａ部分がレバー孔２４ａを貫通している。丁度、前例とは前後が逆になっている。
そこで、第４〜５図に示すように後レバー部２８ａを一杯に引き上げた時に、操作ロッド１７ａが一杯に引き上げられて容器ラック４０と蓋ラック４２が各々の側の容器歯車３８と蓋歯車４１を回して容器と蓋とを閉止状態にする。そして、前レバー部２７ａを引き上げた時に、操作ロッド１７ａが一杯に下に引き下げられて、容器と蓋が開放状態になる。
容器８ａの内壁部７ａは凹の球面になっており、蓋１１ａの周縁手段１２ａのリング溝の外周部は内壁部７ａに密に接近した凸の球面になっており、軸心支持手段としての機能を果たしている。
第６図は本発明のさらに他の実施例を示す。ここでは蓋１１ｂが容器８ｂの外側で柄の支持部４ｂに支持されており、実施例１や実施例２と同様に操作ロッド１７ｂの移動により柄の揺動軸線３ｂの周りに互いに対向方向に揺動して開閉される。容器８ｂと蓋１１ｂは円の中心を柄の揺動軸線３ｂ上にして該柄の揺動軸線３ｂを軸に回転せしめて得られる球形を半分に割った形の半球形に造られており、蓋が被さった形が略球形を成している。図は操作ロッド１７ｂが一杯に引き上げられた位置にあり、蓋の周縁手段１２ｂが容器の開口部６ｂの外側を深く被った状態になっている。開口部６ｂは蓋の被い部１０ｂの内壁に接近するように外側に曲げ出された外鍔４７を有する。そこで、容器と蓋が開く方向に移動する時に開口部６ｂの後ろ側の外鍔４７は被い部１０ｂの内壁に沿って移動し、付着するものを掻き落として奇麗にする働きをする。外鍔４７は容器８ｂ側に設けられているが、実施例１や実施例２の蓋の周縁手段と同じような働きをする。
容器及び蓋の基軸部の反対側には、容器と蓋の軸心支持手段が設けられている。蓋１１ｂの周縁部の蓋基軸部１３ｂと反対側の柄の揺動軸線３ｂの通る位置の壁に、支持ピン４８が固く挿入されている。一方、容器８ｂの開口部側の対応する位置の壁部には支持ピン４８に回転自在に嵌まるピン孔４９が設けてある。そこで、支持ピン４８により容器の開口部６ｂの端部が柄の揺動軸線３ｂ上で蓋１１ｂの支持ピン４８に支持されて、蓋の内部で一層安定して揺動することが出来る。
ここで、容器は柄の把持部に対して左右方向から前方向の範囲の任意の向きとなるように設け得る。そのように支持部を設けることが出来る。
第７図は本発明の他の実施例を示す。ここでは柄１ｃに柄の支持部４ｃがその中心軸線である柄の揺動軸線３ｃが把持部５ｃと平行になるように前後方向の向きに設けてある。そして、Ｔ字形の把持部５ｃが、柄部２ｃの上端に容器８ｃの中心から伸びる垂直線ｖに直角となるように傾けて取り付けられている。そこで、持ち歩く際に、容器８ｃが把持部５ｃの略真下にくる。
ここでは、容器と蓋の周りと、操作手段の操作部材と容器基軸部及び蓋基軸部との間の連結手段などは実施例１と同じであるが、操作ロッドの操作部に異なる操作レバー手段が設けられている。
ここでは、操作ロッド１７ｃはその操作部を操作レバー４６を介して操作される。操作ロッド１７ｃには、上方に長く伸びる前側の壁の内側に縦方向に操作ラック４４が固定されている。この操作ラック４４の移動する範囲の柄部２ｃの前側（左側）の壁の部分は穿けてあり、操作ラック４４はこの孔より柄部２ｃの内部に露出して上下に移動出来る。柄部２ｃの後側の横方向のピン受け部に支持ピン４５が固定されており、該支持ピン４５に回転自在に支持された操作レバー４６が設けてある。該操作レバー４６には、その支持ピン４５に嵌まる部分の前側に操作ラック４４と噛み合う扇形歯車４３が形成されている。そこで、操作レバー４６を上下に操作することにより操作ラック４４を介して操作ロッド１７ｃを上下に移動操作させ、前例同様に容器と蓋の開閉操作を行うことが出来る。
容器と蓋の操作が柄部の一つの操作部の操作で連動して行われることが、本発明の優れた特徴の一つであるが、容器と蓋の操作を各々単独で行うことも出来る。
第８図は容器と蓋の操作を各々単独で行う本発明の実施例を示す。この例では蓋１１ｄが容器８ｄの外側で揺動して開閉されるもので、容器基軸部９ｄが蓋基軸部１３ｄの内部に同心に穿けられた容器基軸孔（図示せず）に支持されて柄の支持部４ｄに支持されている。
蓋操作ロッド５０が柄の揺動軸線を通る柄部２ｄの中心線５４より前側に上下に滑動自在に設けてある。該蓋操作ロッド５０の上部の操作部にはレバー孔５１が穿けてある。把持部５ｄより指が届く程の位置の柄部２ｄの後ろ側に設けられたピン受け部に横方向の支持ピン５２が固定されており、該支持ピン５２に支持されて柄部２ｄを前方向に貫通して伸び出る蓋操作レバー５３が設けてある。
蓋基軸部の端には、柄の中心線５４より前側で半径方向に伸びてその端部にリンクピン２１ｄを備える蓋レバー２２ｄが設けてある。蓋操作ロッド５０の下端部にはリンクピン１９ｄが設けてあり、該リンクピン１９ｄとリンクピン２１ｄとが蓋リンク２３ｄを介して連結されている。
第８図は糞の捕捉状態を示しており、蓋操作レバー５３が一杯に引き上げられて蓋リンク２３ｄを介して蓋基軸部が回されて、蓋１１ｄが一杯に開かれている。
一方、容器操作ロッド５５が柄部２ｄの中心線５４より後側に上下に滑動自在に設けてある。該容器操作ロッド５５の上部の操作部にはレバー孔５６が穿けてある。蓋操作レバー５３より下へ離れた位置の柄部２ｄの前側に設けられたピン受け部に横方向の支持ピン５７が固定されており、該支持ピン５７に支持されて柄部２ｄを後方向に貫通して伸び出る容器操作レバー５８が設けてある。
容器基軸部９ｄの端には、柄の中心線５４より後側で半径方向に伸びてその端部にリンクピン１５ｄを備える容器レバー１６ｄが設けてある。容器操作ロッド５５の下端部にはリンクピン１８ｄが設けてあり、該リンクピン１８ｄとリンクピン１５ｄとが容器リンク２０ｄを介して連結されている。
ここで、容器操作レバー５８が半ば程引き上げられて容器リンク２０ｄを介して容器基軸部９ｄが回されて、容器８ｄが糞の補足に適した傾きで開かれている。
ガイドリング５９は蓋操作ロッド５０と容器操作ロッド５５を柄部２ｄ上に保持して案内するもので、柄部２ｄの側壁に固定されている。
蓋側移動抵抗手段６０ｄは閉止位置と開き位置の二段で働くようになっており、容器側移動抵抗手段６０ｄ′は閉止位置と捕捉位置と開き位置の三段階で働くようになっている。
各操作ロッドと各基軸部側の一部との連結手段は前述の例に示したラックと歯車などを用いた他の手段よることも出来る。又、柄部上を滑動する操作ロッドを介せず、操作レバー手段の一部と基軸部側の一部とを直接に繋ぐロッドやワイヤーの操作部材で操作することも出来よう。さらには、容器レバー１６ｄと蓋レバー２２ｄの各々にハンドルのような各々の操作部材を直に結合して操作するようにすることも出来よう。
第９〜１１図は、容器の揺動軸線が蓋の揺動軸線から離れた容器の外壁の後方にある実施例である。柄部２ｅの先に設けた柄の支持部４ｅは柄部２ｅに対し横に交差する柄の揺動軸線３ｅを有する一つのピンからなる。
柄の支持部４ｅの前部に柄の揺動軸線３ｅと略平行に開く平坦な円形の開口部６ｅと半球形に深く窪んだ内壁部７ｅを有するお椀状の容器８ｅがあり、該容器８ｅの後側の開口部６ｅ近くに後方に伸びるレバー部２２ｅが設けてある。該レバー部２２ｅの元部に容器被支持部となるピン孔があり、このピン孔を柄の支持部４ｅに嵌め合わされて支持されている。そこで、容器８ｅは柄の揺動軸線３ｅの周りに揺動可能である。容器の開口部６ｅ近くの左右の壁には蓋の揺動軸線３′上にピンからなる蓋の揺動支持部４′が設けられている。
容器８ｅの上部には、蓋１１ｅがその周縁部付近の横壁を前記蓋の揺動支持部４′に嵌め合わされて蓋の揺動軸線３′の周りに揺動可能に支持されている。レバー部２２ｅの端にピン２１ｅを介して後リンク２３ｅの下端部が前後に回転自在に連結されている。一方、蓋１１ｅの前端部に内側へ窪んだボス部１６ｅが設けてあり、該ボス部１６ｅにピン１５ｅを介して前リンク２０ｅの下端部が前後に回転自在に連結されている。後リンク２３ｅと前リンク２０ｅの各々上端側は操作ロッド手段１７ｅの下部にピン１９ｅ及び１８ｅを介して前後方向に回転自在に連結保持されている。
操作ロッド手段１７ｅの上端部にはロッド端に周囲が方形板状ないし円板状の形をした操作レバー２６ｅが形成されている。そこで、該操作レバー２６ｅを操作して操作ロッド手段１７ｅを符号Ｌｅから符号Ｔｅまでの間柄部２ｅ上を上下に移動させることが出来る。
操作レバー２６ｅが第９図の位置に保持される時に、容器８ｅが柄部２ｅと略直角に上向きになり開口部６ｅは略水平になる。この時、蓋１１ｅは容器８ｅの内側で下向きに被さって周縁手段１２ｅが開口部６ｅを塞いでいる。操作レバー２６ｅが第１１図のように符号Ｔｅの位置に保持される時、容器の開口部６ｅは柄部２ｅと略平行になって蓋１１ｅと重なり合って前方へ開く。そして、その間の位置で糞の捕捉に適した形に開く。
第１２図は本発明のさらに他の実施例を示す。この実施例では柄部２ｆ上を上下に滑動可能する操作ロッド手段が容器側操作ロッド手段１７ｆと蓋側操作ロッド手段１７ｆ′とに分離されており、容器８ｆと蓋１１ｆが各々の操作ロッド手段により別々に操作される。容器側操作ロッド手段１７ｆは柄部２ｆの後側に位置して後リンク２３ｆに連結されている。蓋側操作ロッド手段１７ｆ′は柄部２ｆの中心線を軸として容器側操作ロッド手段１７ｆと対称の形で柄部２ｆの前側に位置して前リンク２０ｆに連結されており、操作部材の同一の部分には同一の符号に  ′を付して示されている。
第１２図はこの実施例の一つの特徴を示している。この時、容器側操作レバー２６ｆが限度一杯に上がったＴｆの位置にあり、容器８ｆが後側に大きく傾いて開口部６ｆが前に垂直に開かれている。この時、蓋側操作レバー２６ｆ′はＬｆ′の位置に止まっているが、蓋１１ｆは後側に回転して半ば以上が容器の内側に入り込んでおり、容器の内部の糞の殆どを斜め前方へ押し出すように排出している。
つまり、容器側操作レバー２６ｆの上下操作だけで蓋の閉止と糞の排出が行い得る。勿論、ここでも容器側操作レバー２６ｆと蓋側操作レバー２６ｆ′の両操作レバーを同時に操作して第９図の例と同じような操作をすることも可能である。
第１３〜１５図は本発明のさらに他の実施例を示す。この実施例では前リンク２０ｇの上端側を支持するピンの位置が異なっている。前リンク２０ｇの上端側は後リンク２３ｇの上端側を支持する連結ピン１９ｇに連結されており、操作ロッド手段１７ｇの一つのピン上に後リンクと前リンクの上端側が支持されている。
この例では、操作ロッド手段１７ｇの下部の連結ピン１９ｇ部分に前リンク押え手段のねじりバネ６３が装着されている。該ねじりバネ６３はその一方の腕６４が操作ロッド手段１７ｇ側に、他方の腕６５が前リンク２０ｇ側に掛けられている。該ねじりバネ６３は容器を閉止する方向に操作する際に、先端側が持ち上げられてくる前リンク２０ｇによって捻られ、その反発力で前リンク２０ｇを矢印６６で示すように下方へ軽く押す。そこで、割りリング７２の摩擦による抵抗力に打ち勝って蓋１１ｇを矢印６７方向へ回りやすくし、蓋をより一層確りと閉止する。該ねじりバネ６３は閉止操作の終端における動きを円滑にする働きをする。前リンク押え手段はこの他にコイルバネや板バネ、あるいは各種の弾性体を用いて操作ロッド手段１７ｇないし柄部２ｇの一部に設けて実施し得る。
この例では、さらに操作ロッド手段１７ｇの下部に露出する柄部２ｇの前部に前リンク２０ｇの後壁面６８に向かって出っ張る前リンク前押し手段の板バネ６９が装着されている。該板バネ６９は一定の弾力を備え、糞の排出時に容器が全開される時に、降下してくる前リンクの後壁面６８に当って押し下げられる。そこで、前リンク２０ｇは容器が全開されている時には矢印７０で示すように板バネ６９の反発力で前方へ軽く押された状態にある。この時、ねじりバネ６３はその捻りが弛められており、前リンク２０ｇを後方向へ回す力は微弱になっている。そこで、この位置から容器を閉止する方向に操作する時に、前リンク２０ｇは板バネ６９の押す力に助勢されて蓋１１ｇと共にスムーズに前方へ動き出すことが出来る。このように板バネ６９は揺動方向の転向点（この点を越えると前リンク２０ｇが前方向へ戻らず柄部２ｇの後方側へ回る点）近くまで伸びきった前リンク２０ｇに前に押し戻す力を与えて操作部の閉止操作の立ち上げを円滑にする働きをする。この前リンク前押し手段としてはこの他にコイルバネや各種の弾性体、あるいは磁石の反発力などを用いて操作ロッド手段１７ｇないし柄部２ｇの一部に設けて実施し得る。
第１５図に示されるように周縁手段１２ｇは、蓋の周縁部分に設けられたリング溝７１に嵌まるプラスチック製の切り口を有する割りリング７２になっている。リング溝７１の前側と後側の溝底７３と割りリング７２の内壁面間に弾性拡張部材の前拡張バネ７４と後拡張バネ７５が装着されている。ここで、前拡張バネ７４と後拡張バネ７５は各々曲げられた時にリングの前側と後側の９０度前後の範囲亘る長さとなる細い線バネないし板バネからなり、その両端には割りリング７２側又はリング溝の溝底側に曲げ出された鉤部７６を有している。そして該鉤部７６は割りリング７２の内壁面又はリング溝の溝底の対応位置に開けられた孔７７に嵌まって保持されている。そこで、拡張バネ７４、７５はリング溝７１の溝底７３に沿って曲げられた反発力で割りリング７２を容器の内壁部の主に前側と後側に力が分布するように押し付ける。ここで、後拡張バネ７５が強く前拡張バネ７４が弱くなるように線の太さや長さを加減することが出来る。そこで、糞の排出の際に蓋がその閉止位置から開き位置に移動する時に、割りリング７２の後側は容器の内壁部に強く押し当てられて動き、容器内の糞を付着するものも一緒に前方へ掻き出す効果を発揮する。リングの押し付け力の分布を所望に制御して蓋の摩擦力と気密保持力を適正にすることが出来る。
空圧機械や内燃機関等のピストンの拡張バネ等と異なり、ここに用いられる割りリング７２は容器の内壁に沿って揺動軸線の周りに縦に扇形の揺動運動をするものである。そして容器の内壁に付着する糞を掻き出すように働くものである。ここに示される弾性拡張部材の配置は糞の掻き出しに適した圧力分布を与える。
本発明は、一つの軸線上で対向方向に揺動して開閉する容器と蓋が柄の一側部に突出した形で支持されており、操作手段が容器と蓋の周りから分離された柄の側にあって柄の側でこれらと連結される。
【産業上の利用可能性】
【０００６】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々に利用の可能性がある。
【図１】
2006112282.tif 000002
【図２】
2006112282.tif 000003
【図３】
2006112282.tif 000004
【図４】
2006112282.tif 000005
【図５】
2006112282.tif 000006
【図６】
2006112282.tif 000007
【図７】
2006112282.tif 000008
【図８】
2006112282.tif 000009
【図９】
2006112282.tif 000010
【図１０】
2006112282.tif 000011
【図１１】
2006112282.tif 000012
【図１２】
2006112282.tif 000013
【図１３】
2006112282.tif 000014
【図１４】
2006112282.tif 000015
【図１５】
2006112282.tif 000016
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
柄部の先に前後に揺動自在に支持され窪んだ内壁部と平坦な開口部を有する容器と、該容器上に該容器の内側で容器の開口部を接近して被う周縁手段と内側の被い部を有し容器の開口部近くの中央部を横方向に通る蓋の揺動軸線上でその周縁部近くを容器と対向方向に揺動可能に支持された蓋を備え、操作手段により蓋の周縁部の前側が容器の前側の開口部に被さる時に容器が柄部と略直角に上向きになり、糞の排出時に蓋の周縁手段の後側が容器の後側の内壁部を掻いて揺動し容器と共に柄部の後側に傾いて容器内の糞を排出するようにした犬糞等の捕捉運び器具において、
蓋の周縁手段がその周縁部の周りに設けたリング溝と該リング溝に嵌る切口を有する割りリングと蓋の前側と後側の位置の前記リング溝の溝底と前記割りリングの内壁面間に配置された前弾性拡張部材と後弾性拡張部材を備えることを特徴とする犬糞等の捕捉運び器具。
【請求項２】
後弾性拡張部材の拡張力を前弾性拡張部材の拡張力より強めに設定したことを特徴とする請求項１記載の犬糞等の捕捉運び器具。        
【手続補正書】
【提出日】平成20年3月5日(2008.3.5)
【手続補正１】
【補正対象書類名】明細書
【補正対象項目名】全文
【補正方法】変更
【補正の内容】
【発明の詳細な説明】
【技術分野】
【０００１】
本発明は、犬等の散歩の際に持ち歩き、その糞を捕捉しそれを決められた場所に排出するための犬糞等の捕捉運び器具に関する。特に容器を閉止する蓋の周縁部分に設けられる周縁手段の改良に関する。
【背景技術】
【０００２】
２００５年６月３０日に公開されたＰＣＴ／ＪＰ２００４／０１８６８７号に開示されるものは、柄の先に揺動する受容器を備え蓋が被さる時に受容器が柄部と略直角に上向きになり、糞の排出の時に柄部と略平行に前向きに大きく開き、その開閉の間の位置で受容器が糞の捕捉に適した傾きで開くものであり、大別して２種類のものが示されている。一つは蓋と受容器が受容器の開口部の両横に設けた支持点の周りで互いに対向方向に揺動回転して受容器の開口部を開閉するものであり、もう一つは蓋と受容器が受容器の開口部の一方側に設けた各々の支持点上で互いに対向方向に扇形（セクタ）に揺動してその開口部を開閉するものである。
このうち後者のものは、蓋による受容器内の糞の掻き出しが行えないので容器内に糞が付着して残るなどの欠点がある。
【発明の開示】
【発明が解決しようとする課題】
【０００３】
本発明の目的は、糞の排出の際の掻き出し効果に優れ、且つ軽快な開閉操作の出来る犬糞等の捕捉運び器具を提供するにある。
【課題を解決するための手段】
【０００４】
本発明の犬糞等の捕捉運び器具は、柄部の先に前後に揺動自在に支持され窪んだ内壁部と平坦な開口部を有する容器と、該容器上に該容器の内側で容器の開口部を接近して被う周縁手段と内側の被い部を有し容器の開口部近くの中央部を横方向に通る蓋の揺動軸線上でその周縁部近くを容器と対向方向に揺動可能に支持された蓋を備え、操作手段により蓋の周縁部の前側が容器の前側の開口部に被さる時に容器が柄部と略直角に上向きになり、糞の排出時に蓋の周縁手段の後側が容器の後側の内壁部を掻いて揺動し容器と共に柄部の後側に傾いて容器内の糞を排出するようにした犬糞等の捕捉運び器具において、
蓋の周縁手段がその周縁部の周りに設けたリング溝と該リング溝に嵌る切口を有する割りリングと蓋の前側と後側の位置の前記リング溝の溝底と前記割りリングの内壁面間に配置された前弾性拡張部材と後弾性拡張部材を備える。
そこで、糞の排出の際に蓋がその閉止位置から開き位置に移動する時に、その割りリングの前後側は容器の内壁部に強く押し当てられて動き、容器内の糞を付着するものも一緒に前方へ押出す。そして蓋は容器の内側に重なって前方に開く。
【０００５】
又、上記弾性拡張部材は、後弾性拡張部材の拡張力を前弾性拡張部材の拡張力より強め
に設定するようにすることが出来る。
【発明の効果】
【０００６】
糞の排出の際に蓋がその閉止位置から開き位置に移動する時に、割りリング７２の後側
は容器の後側の内壁部に強く押し当てられて動き、容器内の糞を付着するものも一緒に前方へ掻き出す効果を発揮する。
【０００７】
リングの押し付け力の分布を所望に制御することにより、蓋の摩擦力と気密保持力を適正にすることが出来るので、糞の排出の際の掻き出し効果に優れ、且つ軽快な開閉操作の出来る犬糞等の捕捉運び器具を提供することが出来る。
【発明を実施するための最良の形態】
【０００８】
蓋の周縁手段が蓋の周縁部の周りに設けたリング溝と該リング溝に嵌る切口を有する割りリングと蓋の前側と後側の位置の前記リング溝の溝底と前記割りリングの内壁面間に配置された前弾性拡張部材と後弾性拡張部材を備えるように実施する。
【実施例１】
【０００９】
第１〜３図は、蓋と受容器が受容器の開口部の両横に設けた支持点の周りで互いに対向方向に揺動回転して受容器の開口部を開閉するようになっている実施例を示す。
柄１の上端にある把持部５から先方へ長く伸びる柄部２の先に、柄部２と交差する中心軸線を有する円筒形の孔から成る柄の支持部４が設けられる。この中心軸線はここでは容器と蓋の揺動軸線をなす。容器８は平坦に開く開口部６と窪んだ内壁部７を有しており、その開口部６の片側に容器被支持部となる容器基軸部９を備えている。該容器基軸部９は開口部６と平行に容器の中心部を通る軸心を有し、柄の支持部４に回転自在に嵌まる直径の軸部であって、容器８は該容器基軸部９により柄部２の一方の側部に柄の揺動軸線３の周りで揺動自在に支持されている。
容器８の内側には蓋１１が取付けられている。該蓋１１は開口部６を密接に接触して被う平坦な周縁手段１２と内側の被い部１０を有しその周縁部分の片側に蓋基軸部１３を備えている。該蓋基軸部１３は周縁手段１２が柄の揺動軸線３と平行に支持されるように蓋の中心部を通る軸心を有し、容器基軸部９の内部に同心に穿たれた蓋基軸孔１４に回転自在に嵌まっている。そこで、蓋１１は容器８内で揺動することが出来、容器８と蓋１１は共に柄の揺動軸線３上で揺動する。周縁手段１２は、ここでは、蓋の周縁部分に設けられたリング溝に嵌まるゴム製のパイプ状のシールリングになっている。
容器８と蓋１１は、ここでは、共に柄の揺動軸線３を中心軸線とする円の回転形である球形を略半分にした形の略半球形になっている。
従って、開口部６と周縁手段１２周囲は円形である。柄部２を間にして、受容器基軸部９の容器側と反対側の位置に、柄の揺動軸線３の前側で半径方向に伸びてその端部にリンクピン１５を備える容器レバー１６が設けてある。一方、柄部２上には、軸方向に滑動自在に嵌る操作ロッド１７があって、該操作ロッド１７の下端部には前後に並列に２つのリンクピン１８と１９が設けてある。そして、前側のリンクピン１８と容器レバー１６のリンクピン１５とが容器リンク２０を介して連結されている。
同じように、蓋基軸部１３の蓋側と反対側の位置には、柄の揺動軸線３の後側で前記容器レバー１６と対称形に半径方向に伸びて、その端部にリンクピン２１を備える蓋レバー２２が設けてある。そして、後側のリンクピン１９と蓋レバー２２のリンクピン２１とが蓋リンク２３を介して連結されている。
操作ロッド１７の上部はその前側の部分が上方に長く伸びており、この上部に伸びる部分にレバー孔２４が穿けてある。把持部５より指が届く程の位置の柄部２の後ろ側のピン受け部に横方向の支持ピン２５が固定されており、該支持ピン２５に支持されて柄部２を前後方向に貫通して前後に伸び出る操作レバー２６が設けてある。該操作レバー２６は柄部２の前側に突出する前レバー部２７と後ろ側に突出する後レバー部２８からなり支持ピン２５を支点にして上下にシーソーように揺動することが出来る。
【００１０】
そこで、第１図に示すように前レバー部２７を一杯に引き上げた時に、操作ロッド１７が一杯に引き上げられ、容器リンク２０と蓋リンク２３は容器レバー１６と蓋レバー２２を回して容器と蓋とを閉止状態にする。この時容器８はその開口部６が柄部２に対して略直角になるように上向きとなっており、その上から蓋１１が下向きになり、その周縁手段１２が開口部６を塞いでいる。容器内の糞は外部に漏れることなく、その臭気もシールリングの働きでもれることがない。通常は、この縦にした状態で持ち歩く。
【００１１】
第２図では後レバー部２８を一杯に引き上げられている。この時に操作ロッド１７が一杯に押し下げられて容器リンク２０と蓋リンク２３は容器レバー１６と蓋レバー２２を介して容器と蓋とを開放状態にする。容器８は柄部２の後ろ側にあって、その開口部６は柄部２と略平行に立って前側に向き、蓋１１がその内側で重なり合うようにしてその周縁手段１２が柄部２と略平行に立って前側に向かって開いている。糞の排出は通常はこの第２図のように柄を縦にした状態で行う。第１図に示す容器の開口部６が蓋の周縁手段１２に閉止された状態から第２図の状態に移動する際に、蓋の周縁手段１２は容器の内壁部７を掃くようにして移動し、容器８内の糞を内壁部７に付着するものも一緒に前方へ押出す。容器８の内壁部７が柄の揺動軸線３を中心にした回転面であることの利点の一つである。
【実施例２】
【００１２】
第４〜６図は本発明の周縁手段の実施例を示す。
以下の実施例の説明では、前述の実施例と同じ部分については実施例毎に同一の符号にａ、ｂなどの添字を付して示し、その詳しい説明を省略して主に異なる部分について説明する。
柄の支持部４ａの前部に柄の揺動軸線３ａと略平行に開く平坦な円形の開口部６ａと半球形に深く窪んだ内壁部７ａを有するお椀状の容器８ａがあり、該容器８ａの後側の開口部６ａ近くに後方に伸びるレバー部２２ａが設けてある。該レバー部２２ａの元部に容器被支持部となるピン孔があり、このピン孔を柄の支持部４ａに嵌め合わされて支持されている。そこで、容器８ａは柄の揺動軸線３ａの周りに揺動可能である。容器の開口部６ａ近くの左右の壁には蓋の揺動軸線３′上にピンからなる蓋の揺動支持部４′が設けられている。
容器８ａの上部には、蓋１１ａがその周縁部付近の横壁を前記蓋の揺動支持部４′に嵌め合わされて蓋の揺動軸線３′の周りに揺動可能に支持されている。レバー部２２ａの端にピン２１ａを介して後リンク２３ａの下端部が前後に回転自在に連結されている。一方、蓋１１ａの前端部のボス部１６ａが設けてあり、該ボス部１６ａにピン１５ａを介して前リンク２０ａの下端部が前後に回転自在に連結されている。
前リンク２０ａの上端側は後リンク２３ａの上端側を支持する連結ピン１９ａに回転自在に連結されており、操作ロッド手段１７ａの一つのピン上に後リンク２３ａと前リンク２０ａの上端側が支持されている。
【００１３】
そこで、操作ロッド手段１７ａが上下に操作されることによって容器８ａと蓋１１ａは第４図から第５図に示され間で揺動運動をして、その開閉と糞の排出の操作が行われる。
【００１４】
ここで、周縁手段１２ａは、第６図に示されるように蓋の周縁部分に設けられたリング溝７１に嵌まるプラスチック製の切り口を有する割りリング７２になっている。リング溝７１の前側と後側の溝底７３と割りリング７２の内壁面間に弾性拡張部材の前拡張バネ７４と後拡張バネ７５が装着されている。ここで、前拡張バネ７４と後拡張バネ７５は各々曲げられた時にリングの前側と後側の９０度前後の範囲亘る長さとなる細い線バネないし板バネからなり、その両端には割りリング７２側又はリング溝の溝底側に曲げ出された鉤部７６を有している。そして該鉤部７６は割りリング７２の内壁面又はリング溝の溝底の対応位置に開けられた孔７７に嵌まって保持されている。そこで、拡張バネ７４、７５はリング溝７１の溝底７３に沿って曲げられた反発力で割りリング７２を容器の内壁部の主に前側と後側に力が分布するように押し付ける。ここで、後拡張バネ７５が強く前拡張バネ７４が弱くなるように線の太さや長さを加減することが出来る。そこで、糞の排出の際に蓋がその閉止位置から開き位置に移動する時に、割りリング７２の後側は容器の後側の内壁部に強く押し当てられて動き、容器内の糞を付着するものも一緒に前方へ掻き出す効果を発揮する。リングの押し付け力の分布を所望に制御して蓋の摩擦力と気密保持力を適正にすることが出来る。
空圧機械や内燃機関等のピストンリングの拡張バネ等と異なり、ここに用いられる割りリング７２は容器の内壁に沿って揺動軸線の周りに縦に扇形の揺動運動をするものである。そして容器の内壁に付着する糞を掻き出すように働くものである。ここに示される弾性拡張部材の配置は糞の掻き出しに適した圧力分布を与える。
【産業上の利用可能性】
【００１５】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々に利用の可能性がある。
【図面の簡単な説明】
【００１６】
【図１】犬糞捕捉運び器具の一つの実施例を示す側面図で蓋を閉止した状態を示す図
【図２】第１図の実施例の蓋を全開した状態を示す側面図
【図３】第１図における３−３矢視図で一部を破断面にして示す図
【図４】本発明の実施例を示す捕捉運び器具の容器周りの側面図で蓋を閉止した状態を示す図
【図５】第４図の実施例の蓋を全開にした状態を示す容器周りの側面図
【図６】第４図における蓋の周縁手段のリング溝の部分の水平断面図である。
【符号の説明】
【００１７】
１、１ａ                      柄
２、２ａ                      柄部
３、３′                    揺動軸線
６、６ａ                      開口部
７、７ａ                      内壁部
８、８ａ                      容器
１１、１１ａ                  蓋
１２、１２ａ                  周縁手段
１７、１７ａ                  操作ロッド
７１                          リング溝
７２                          割りリング
７３                          溝底
７４                          前拡張バネ
７５                          後拡張バネ
７６                          鉤部
７７                          孔
【手続補正書】
【提出日】平成20年3月6日(2008.3.6)
【手続補正１】
【補正対象書類名】図面
【補正対象項目名】全図
【補正方法】変更
【補正の内容】
【書類名】  図面
2006112282.tif 000017
2006112282.tif 000018
2006112282.tif 000019
2006112282.tif 000020
2006112282.tif 000021
2006112282.tif 000022
【国際調査報告】
2006112282.tif 000023
2006112282.tif 000024